(57)【要約】【課題】外光及び内壁面反射光による迷光の発生を防止して色ムラ、輝度ムラを減少させることができ、ＨＭＤの更なる小型化を実現することができる映像表示装置及びそれを装備したヘッドマウントディスプレイの提供。【解決手段】映像を表示する表示光学系と、表示光学系から射出された映像光を観察者の光学瞳に導く接眼光学系と、表示光学系から射出された映像光の光路上において、接眼光学系を支持する支持具とを備え、支持具は、表示光学系が収納され、映像光が透過する出射窓が形成された第１収納室と、接眼光学系が収納され、出射窓から出射した映像光が透過する入射窓が形成された第２収納室と、第１収納室と第２収納室との間に映像光の光路を形成するように支持する支持板とを有し、第１収納室と第２収納室とが対向する部分から延びて形成されている、出射窓及び入射窓からの外光入射を防止する外光遮蔽部を有している。【選択図】図５
2016057530.tif 000002
【特許請求の範囲】
【請求項１】
映像を表示する表示光学系と、
前記表示光学系から射出された映像光を観察者の光学瞳に導く接眼光学系と、
前記表示光学系から射出された映像光の光路上において、前記接眼光学系を支持する支持具と、を備え、
前記支持具は、
前記表示光学系が収納され、前記映像光が透過する出射窓が形成された第１収納室と、
前記接眼光学系が収納され、前記出射窓から出射した映像光が透過する入射窓が形成された第２収納室と、
前記第１収納室と前記第２収納室との間に映像光の光路を形成するように支持する支持板と、を有し、
前記第１収納室と前記第２収納室とが対向する部分から延びて形成されている、前記出射窓及び前記入射窓からの外光入射を防止する外光遮蔽部を有していることを特徴とする映像表示装置。
【請求項２】
前記外光遮蔽部は、前記出射窓の光路側枠部又は前記第１収納室の光路側外周部と、前記第２収納室の光路側外周部の両方又はいずれか一方に形成された庇状突起であることを特徴とする請求項１に記載の映像表示装置。
【請求項３】
前記外光遮蔽部は、前記第１収納室の光路側外周部と前記第２収納室の光路側外周部の両方又はいずれか一方に形成された鍔状突起であることを特徴とする請求項１に記載の映像表示装置。
【請求項４】
前記外光遮蔽部は、前記第１収納室の光路側外周部と前記第２収納室の光路側外周部の両方又はいずれか一方に形成された拡張外周部であることを特徴とする請求項１に記載の映像表示装置。
【請求項５】
映像を表示する表示光学系と、
前記表示光学系から射出された映像光を観察者の光学瞳に導く接眼光学系と、
前記表示光学系から射出された映像光の光路上において、前記接眼光学系を支持する支持具と、を備え、
前記支持具は、
前記表示光学系が収納され、前記映像光が透過する出射窓が形成された第１収納室と、
前記接眼光学系が収納され、前記出射窓から出射した映像光が透過する入射窓が形成された第２収納室と、
前記第１収納室と前記第２収納室との間に映像光の光路を形成するように支持する支持板と、を有し、
前記第１収納室と前記第２収納室との間に形成された光路の上部に、前記支持板から延びて形成されている、前記出射窓及び前記入射窓からの外光入射を防止する外光遮蔽部を有していることを特徴とする映像表示装置。
【請求項６】
前記第２収納室の底部内面は、正反射防止のための処理が施されていることを特徴とする請求項１乃至５のいずれか１項に記載の映像表示装置。
【請求項７】
請求項１乃至６のいずれか１項に記載の映像表示装置を備えたことを特徴とするヘッドマウントディスプレイ。
【発明の詳細な説明】
【技術分野】
【０００１】
本発明は、ヘッドマウントディスプレイ（ＨＭＤ）などに搭載される接眼型の映像表示装置及びそれを装備したヘッドマウントディスプレイ（ＨＭＤ）に係り、より詳しくは、迷光発生による色ムラや輝度ムラが改良された接眼型の映像表示装置及びそれを装備したヘッドマウントディスプレイ（ＨＭＤ）に関する。
【背景技術】
【０００２】
近年、頭部に装着して使用するＨＭＤのように、使用者の身体に取り付けて使用することのできるウェアラブルデバイスへの需要が高まりつつある。また、コンピュータや、各種センサ機器、ＬＣＤなどの映像表示装置に関しても、ウェアラブルデバイスに搭載可能な程度に小型化されており、これらの機器を搭載したウェアラブルデバイスの開発が急速に進んでいる。
【０００３】
例えば，特許文献１には，従来の単眼式ＨＭＤが開示されている。特許文献１に開示された従来のＨＭＤは、表示素子から射出された映像光をプリズムへ伝播するための光路が、壁面で囲われて外光を遮断する構造を有している。
しかしながら、従来のＨＭＤの多くに設けられた外光遮断壁は、ＨＭＤの小型化、コンパクト化の障害となり、また、内壁面からの反射光により迷光を発生させて色ムラ、輝度ムラの原因となっている。
【先行技術文献】
【特許文献】
【０００４】
【特許文献１】特開２００１−１１７０４７号公報
【発明の概要】
【発明が解決しようとする課題】
【０００５】
本発明は、上記従来技術の問題点を鑑みてなされたものであって、本発明の目的は、外光及び内壁面反射光による迷光の発生を防止して色ムラ、輝度ムラを減少させることができ、ＨＭＤの更なる小型化を実現することができる映像表示装置及びそれを装備したヘッドマウントディスプレイを提供することにある。
【課題を解決するための手段】
【０００６】
上記目的を達成するためになされた本発明の一態様による映像表示装置は、映像を表示する表示光学系と、前記表示光学系から射出された映像光を観察者の光学瞳に導く接眼光学系と、前記表示光学系から射出された映像光の光路上において、前記接眼光学系を支持する支持具と、を備え、前記支持具は、前記表示光学系が収納され、前記映像光が透過する出射窓が形成された第１収納室と、前記接眼光学系が収納され、前記出射窓から出射した映像光が透過する入射窓が形成された第２収納室と、前記第１収納室と前記第２収納室との間に映像光の光路を形成するように支持する支持板と、を有し、前記第１収納室と前記第２収納室とが対向する部分から延びて形成されている、前記出射窓及び前記入射窓からの外光入射を防止する外光遮蔽部を有していることを特徴とする。
【０００７】
前記外光遮蔽部は、前記出射窓の光路側枠部又は前記第１収納室の光路側外周部と、前記第２収納室の光路側外周部の両方又はいずれか一方に形成された庇状突起であることが好ましい。
【０００８】
また、前記外光遮蔽部は、前記外光遮蔽部は、前記第１収納室の光路側外周部と前記第２収納室の光路側外周部の両方又はいずれか一方に形成された鍔状突起であることが好ましい。
【０００９】
また、前記外光遮蔽部は、前記外光遮蔽部は、前記第１収納室の光路側外周部と前記第２収納室の光路側外周部の両方又はいずれか一方に形成された拡張外周部であることが好ましい。
【００１０】
上記目的を達成するためになされた本発明の他の態様による映像表示装置は、映像を表示する表示光学系と、前記表示光学系から射出された映像光を観察者の光学瞳に導く接眼光学系と、前記表示光学系から射出された映像光の光路上において、前記接眼光学系を支持する支持具と、を備え、前記支持具は、前記表示光学系が収納され、前記映像光が透過する射出窓が形成された第１収納室と、前記接眼光学系が収納され、前記射出窓から出射した映像光が透過する入射窓が形成された第２収納室と、前記第１収納室と前記第２収納室との間に映像光の光路を形成するように支持する支持板と、を有し、前記第１収納室と前記第２収納室との間に形成された光路の上部に、前記支持板から延びて形成されている、前記射出窓及び前記入射窓からの外光入射を防止する外光遮蔽部を有していることを特徴とする。
【００１１】
また、前記第２収納室の底部内面は、正反射防止のための処理が施されていることが好ましい。
【００１２】
上記目的を達成するためになされた本発明の一態様によるヘッドマウントディスプレイは、映像を表示する表示光学系と、前記表示光学系から射出された映像光を観察者の光学瞳に導く接眼光学系と、前記表示光学系から射出された映像光の光路上において、前記接眼光学系を支持する支持具と、を備え、前記支持具は、前記表示光学系が収納され、前記映像光が透過する射出窓が形成された第１収納室と、前記接眼光学系が収納され、前記射出窓から出射した映像光が透過する入射窓が形成された第２収納室と、前記第１収納室と前記第２収納室との間に映像光の光路を形成するように支持する支持板と、を有し、前記第１収納室と前記第２収納室とが対向する部分もしくは前記支持板から延びて形成されている、前記射出窓及び前記入射窓からの外光入射を防止する外光遮蔽部を有している映像表示装置を備えていることを特徴とする。
【発明の効果】
【００１３】
本発明の映像表示装置によれば、表示光学系と接眼光学系の間に形成される映像光の光路を覆うような壁を設けずに光学系への外光入射を遮断することができ、光路側壁からの反射光による迷光の発生による色ムラ、輝度ムラ等の映像品質の劣化防止、外光直視による観察者の眼球損傷の防止を実現することができる。
また、本発明の映像表示装置を備えたヘッドマウントディスプレイによれば、光路を覆うような壁面が設けられていないので、更なる小型化、コンパクト化が実現され、顔面衝突時等の安全性が向上し、観察者の視野が拡大することで使い勝手を向上させることができる。
【図面の簡単な説明】
【００１４】
【図１】本発明の一実施形態に係る映像表示装置に備えられた光学系の模式図である。
【図２】本発明の一実施形態に係る映像表示装置の外光遮蔽部を除く外観斜視図である。
【図３】本発明の映像表示装置における外光入射を説明するための模式図である。
【図４】本発明の映像表示装置における外光遮蔽の原理を示す概念図である。
【図５】本発明の映像表示装置における外光遮蔽の原理を示す概念図である。
【図６】本発明の一実施形態に係る外光遮蔽部を示す庇状突起の例示図である。
【図７】本発明の一実施形態に係る外光遮蔽部を示す鍔状突起の例示図である。
【図８】本発明の一実施形態に係る外光遮蔽部を示す拡張外周部の例示図である。
【図９】本発明の他の実施形態に係る外光遮蔽部を示す例示図である。
【図１０】本発明の一実施形態に係るヘッドマウントディスプレイ（ＨＭＤ）のデザインの一例を示す斜視図である。
【発明を実施するための最良の形態】
【００１５】
以下、図面を参照して本発明を実施するための最良の形態について説明する。
本発明は、以下に説明する実施形態に限定されるものではなく、以下の実施形態から当業者が自明な範囲で適宜修正したものも含む。
【００１６】
本発明に係る接眼型の映像表示装置は、映像を表示する表示光学系と表示光学系から出射された映像光を観察者の光学瞳に導く接眼光学系を有する光学系を備える。
本発明に備えられる光学系を簡単に説明すると、表示光学系で表示した映像光を、接眼光学系を介して観察者の光学瞳へと導くものである。
接眼光学系は、表示光学系が表示している映像を虚像として投影するものであり、観察者はその虚像を視認することができる。
【００１７】
図１は、本発明の一実施形態に係る映像表示装置に備えられた光学系の模式図である。本実施形態に係る映像表示装置に備えられた光学系において、観察者の光学瞳に映像光を導く光学系を模式的に示し、図１のＡは、透過型パネルを用いるタイプであり、図１のＢは、反射型パネルを用いるタイプである。
【００１８】
図１のＡに示す透過型パネルタイプでは、表示光学系１０は、光源１１、集光レンズ１２及び透過型液晶などの透過型表示素子１３ａを備え、接眼光学系２０は、プリズムなどの導光部材２１を備える。
図１のＢに示す反射型パネルタイプでは、表示光学系１０は、光源１１、集光レンズ１２、反射型液晶などの反射型表示素子１３ｂ、偏光ビームスプリッター（ＰＢＳ）１４を備え、接眼光学系２０は透過型と同様に、プリズムなどの導光部材２１を備える。
本発明においては、図１に示した光学系以外にも、その他公知のものを適宜採用することができる。
【００１９】
表示光学系１０の光源１１は、Ｒ（赤）、Ｇ（緑）、Ｂ（青）の各色の光を出射するものであることが好ましく、例えば、ＲＧＢ一体型のＬＥＤパネルで構成されていることが好ましい。尚、光源１１は、単色光や白色光を出射するものであってもよい。
集光レンズ１２は，光源１１からの光を集光して表示素子１３に供給する。
【００２０】
透過型表示素子１３ａや反射型表示素子１３ｂの表示素子は、入射光を画像データに応じて変調することにより、映像を表示するものであり、例えば、光が透過する領域となる各画素がマトリクス状に配置された透過型の液晶表示素子や、光が反射する領域となる各画素がマトリクス状に配置された反射型の液晶表示素子が挙げられる。
【００２１】
接眼光学系２０の導光部材２１は、例えば、単一のプリズムで構成されるもの、複数のプリズムを組み合わせて構成されるものが挙げられ、映像光の入射面２１ａ、全反射面２１ｂ、出射面２１ｃを有する形状となっている。
【００２２】
導光部材２１の入射面２１ａは、横方向に進行する映像光の光軸と垂直に交差する奥行き方向に設けられ、出射面２１ｃは、観察者の光学瞳と対向するように設けられている。
全反射面２１ｂは、例えば、矩形形状（長方形形状）であり、映像光の光路を直角に折り曲げる手段として機能し、具体的には、入射面２１ａを介して導光部材内部に入射して横方向に進行する映像光を奥行方向の手前に全反射させる。
【００２３】
上記の構成によれば、光源１１から出射された光は集光レンズ１２で集光されて透過型表示素子１３ａもしくは反射型表示素子１３ｂの表示素子に入射し、その光は表示素子によって変調されて映像光となり、接眼光学系２０に入射する。
接眼光学系２０では、映像光が入射面２１ａを介して導光部材２１の内部に入射し、導光部材２１の内部を横方向に沿って進行し、全反射面２１ｂで光路が折り曲げられて奥行き方向手前に向きを変えて進行する。
これにより、映像光は導光部材２１内部の射出面２１ｃを介して観察者の光学瞳に導かれ、観察者は、光学瞳の位置で表示素子１３にて表示された映像の拡大虚像を観察することができる。
【００２４】
本発明の映像表示装置は、表示光学系と接眼光学系を保持して両者の間に映像光の光路を形成する支持具３０を有し、図２は、本発明の一実施形態に係る映像表示装置の外光遮蔽部を除く外観斜視図である。図２には、支持具３０に加え第２収容室３３に収容された導光部材２１が記載してある。
図２のＡは、表示光学系１０を支持する第１収納室３２の出射窓３２ａに面する側からの斜視図であり、図２のＢは、第２収納室３３に収容された導光部材２１の入射面２１ａに面する側からの斜視図である。
【００２５】
図２のＡ、Ｂに示すように、本発明の映像表示装置の支持具３０は、表示光学系１０が収納され、映像光が透過する出射窓３２ａが形成された第１収納室３２と、接眼光学系２０が収納され、出射窓３２ａから出射した映像光が透過する入射窓（図２のＢにおける導光部材２１の入射面２１ａが相当する）と観察者が映像光を受ける接眼窓（図２のＢにおける導光部材２１の出射面２１ｃが相当する）を有する第２収納室３３と、第１収納室３２と第２収納室３３との間に映像光の光路を形成するように支持する支持板３１と、を有する。
【００２６】
従来、表示光学系と接眼光学系の間に形成される映像光の光路は、全面を側壁で覆い外光を遮断していたが、全面を側壁で覆うことにより、光路側壁からの反射光による迷光の発生による映像品質の劣化、観察者視野の狭小化、顔面衝突時の危険拡大の問題が発生していた。
本発明の映像表示装置は、上記問題を解決するために光路を覆う側壁を排除し、外光による映像品質の劣化を防止するために外光を遮蔽するための部材を設けたものである。
【００２７】
図３は、本発明の映像表示装置における外光入射を説明するための模式図である。
図３のＡは、出射窓３２ａから入射した外光（ＯＬ）が表示光学系内で迷光（ＧＬ：ゴースト光）を発生させ、それが映像光（ＰＬ）とともに観察者の光学瞳（Ｅ）に届く様子を模式的に描いたものである。図３のＡに示すように、出射窓３２ａからの入射外光は、迷光を発生させ、輝度などの映像品質の低下を招く。
【００２８】
図３のＢは、導光部材２１の入射面からの入射外光（ＯＬ）が全反射面で反射して出射面から観察者の光学瞳（Ｅ）に届く様子を模式的に描いたものである。図３のＢに示すように、入射面からの入射外光（ＯＬ）は、映像光（ＰＬ）とともに観察者の光学瞳（Ｅ）に届くため、映像光の品質を低下させるばかりでなく観察者の眼球を損傷する危険を有する。
【００２９】
図４は、本発明の映像表示装置における外光遮蔽の原理を示す概念図である。
図４のＡは、出射窓から表示光学系に入射する外光について、遮蔽を要する外光を説明するものであり、図４のＢは、導光部材２１の入射面から接眼光学系に入射する外光について、遮蔽を要する外光を説明するものである。
第１収容室３１に収容される表示光学系は、出射窓近傍に表示光学系パネル１５を有する。表示光学系パネル１５は、透過型表示光学系であれば透過型液晶などの透過型表示素子が相当し、反射型表示光学系であれば偏光ビームスプリッター（ＰＢＳ）の出射面が相当する。
一方、第２収容室３２に収容される接眼光学系については、全反射面２１ｂに入射する光を受ける仮想的な出射面である接眼光学系仮想出射面２３を想定する。その位置は、プリズム反射面を対称面とした実際の出射面２１ｃの鏡面反転像と一致し、幅、高さも実際の出射面と同一である。反射面をそのまま透過すると想定した場合に、仮想出射面に到達する光は、実際には全反射後に本来の出射面２１ｃに到達し、観察者の光学瞳（Ｅ）に到達しうる。
【００３０】
表示光学系において、出射窓３２ａから入射した外光は、表示光学系パネル１５で反射して反射光を発生させるが、その反射光の内、接眼光学系仮想出射面２３に到達するものが迷光となる。
従って、外光による迷光発生を防止するには、接眼光学系仮想出射面２３に到達する反射光に対応する外光が入射するのを遮蔽すればよいことになる。
【００３１】
接眼光学系仮想出射面２３に到達する反射光に対応する入射外光の範囲は、表示光学系パネルの中心部に入射して接眼光学系仮想出射面の下辺部に反射する外光（ＯＬ１）から、出射窓の上辺部から入射して表示光学系パネルの中心部より上部の位置で反射し、接眼光学系仮想出射面の下辺部に反射する外光（ＯＬ２）までとなる。
接眼光学系仮想出射面２３に到達する反射光に対応する入射外光の範囲（ＯＬ１〜ＯＬ２）は、光路長さ、（仮想）パネルの位置、表示光学系出射窓および接眼光学系入射面の大きさで定まる。
【００３２】
接眼光学系において、接眼光学系仮想出射面２３に入射した外光は、全て観察者の光学瞳に到達するため、接眼光学系仮想出射面２３に入射する外光をすべて遮蔽する必要がある。
接眼光学系仮想出射面２３に直接入射する外光の範囲は、接眼光学系仮想出射面２３の下辺部と第１収容室３２の光路側外周上辺部とを結ぶ線を通る外光（ＯＬ３）から、接眼光学系仮想出射面の下辺部と導光部材２１の入射面の上辺部とを結ぶ線を通る外光（ＯＬ４）までとなる。
接眼光学系仮想出射面２３に直接入射する外光の範囲（ＯＬ３〜ＯＬ４）は、光路長さ、仮想パネルの位置、第１収容室３２の光路側外周部の大きさ、接眼光学系入射面２１ａの大きさで定まる。
【００３３】
図５は、本発明の映像表示装置における外光遮蔽の原理を示す概念図である。図５のＡで示す遮蔽方法は、出射窓の光路側外周部上部又は第１収納室の光路側外周部上部と、第２収納室の光路側外周部の上部の両方又はいずれか一方に庇状突起を形成するものである。
図５のＢで示す遮蔽方法は、第１収納室の光路側外周部上部と第２収納室の光路側外周部上部の両方又はいずれか一方に鍔状突起を形成するものである。
図５のＣで示す遮蔽方法は、第１収納室の光路側外周部と第２収納室の光路側外周部の両方又はいずれか一方に形成された拡張外周部を形成するものである。
図５のＤで示す遮蔽方法は、第１収納室と第２収納室との間に形成された光路の上部に、支持板から延びて形成された外光遮蔽部によるものである。
【００３４】
本発明に係る映像表示装置は、前述の表示光学系に入射して迷光を発生させる外光及び接眼光学系に入射して観察者の光学瞳に到る外光を遮断するための外光遮蔽部を有する。
本発明の第一の実施形態に係る外光遮蔽部は、第１収納室と前記第２収納室とが対向する部分から延びて形成されている。
【００３５】
図６は、第一の実施形態に係る映像表示装置において外光遮蔽部である庇状突起４０ａを有する支持具３０の例示図である。
庇状突起４０ａは、第１及び／又は第２収納室から映像光の光路側に庇状に突出した外光遮蔽部であり、第１収納室３２においては、第１収納室の光路側外周部又は出射窓の光路側外周部に設けられ、第２収納室３３においては、第２収納室３３の光路側外周部又は入射窓の光路側外周部に設けられる。庇状突起４０ａは、第１収納室３２と第２収納室３３の両方に設けてもよく、どちらか一方でもよい。
庇状突起４０ａの大きさは、単独もしくは他の外光遮蔽部との組み合わせで、図４に示した遮蔽する必要のある外光の範囲ＯＬ１〜ＯＬ２及びＯＬ３〜ＯＬ４を遮蔽できる大きさであればよく、形状は、映像光の光路を阻害しない範囲で傾斜を設けてもよく、円弧状としてもよい。
【００３６】
図７は、第一の実施形態に係る映像表示装置において外光遮蔽部である鍔状突起４０ｂを有する支持具３０の例示図である。
鍔状突起４０ｂは、第１及び／又は第２収納室から映像光の光路に対し直角方向に鍔状に突出した外光遮蔽部であり、第１収納室３２においては、第１収納室の光路側外周部に設けられ、第２収納室３３においては、第２収納室３３の光路側外周部に設けられる。鍔状突起４０ｂは、第１収納室３２と第２収納室３３の両方に設けてもよく、どちらか一方でもよい。
鍔状突起４０ｂの大きさは、単独もしくは他の外光遮蔽部との組み合わせで、図４に示した遮蔽する必要のある外光の範囲ＯＬ１〜ＯＬ２及びＯＬ３〜ＯＬ４を遮蔽できる大きさであればよく、形状は、映像光の光路を阻害しない範囲で傾斜を設けてもよく、円弧状としてもよい。
【００３７】
図８は、第一の実施形態に係る映像表示装置において外光遮蔽部である拡張外周部４０ｃを有する支持具３０の例示図である。
拡張外周部４０ｃは、第１及び／又は第２収納室が映像光の光路に対し直角方向に拡張した外光遮蔽部であり、第１収納室３２においては、第１収納室の光路側外周部が拡張して設けられ、第２収納室３３においては、第２収納室３３の光路側外周部が拡張して設けられる。拡張外周部４３は、第１収納室３２と第２収納室３３の両方に設けてもよく、どちらか一方のみに設けてもよい。
拡張外周部４０ｃの大きさは、単独もしくは他の外光遮蔽部との組み合わせで、図４に示した遮蔽する必要のある外光の範囲ＯＬ１〜ＯＬ２及びＯＬ３〜ＯＬ４を遮蔽できる大きさであればよく、形状は、それぞれの収納室をそのまま拡張しても良く、変形させて拡張してもよい。
【００３８】
本発明の第二の実施形態に係る外光遮蔽部である支持板延長遮蔽部４０ｄは、第１収納室と第２収納室との間に形成された光路の上部に、支持板から延びて形成されているものである。
図９は、第二の実施形態に係る映像表示装置において支持板から延びて形成された支持板延長遮蔽部４０ｄを有する支持具３０の例示図である。
支持板３１から延びて形成された支持板延長遮蔽部４０ｄは、単独もしくは他の外光遮蔽部との組み合わせで、図４に示した遮蔽する必要のある外光の範囲ＯＬ１〜ＯＬ２及びＯＬ３〜ＯＬ４を遮蔽できる形状、大きさであればよく、たとえば、支持板３１から延びた部材に支持された光路上を覆う屋根状の形状であってよい。
【００３９】
これまで、接眼光学系仮想出射面に直接入射する外光や反射光の遮蔽について述べてきたが、第２収納室３３の底面で反射して接眼光学系仮想出射面に入射する外光もある。
このような底面での反射光に対しては、第２収納室の底部内面に正反射防止のための処理が施されていることが好ましい。正反射防止のための処理としては、底部内面の粗面化処理、艶消し処理、砂面処理等が挙げられる。
【００４０】
図１０は、本発明の第三の実施形態に係るヘッドマウントディスプレイ（ＨＭＤ）のデザインの一例を示す斜視図である。
図１０に示すように、本発明の一実施形態に係る映像表示装置１００は、極めて小型化して、ヘッドマウントディスプレイ（ＨＭＤ）２００の接眼部分に搭載することができ、従来のＨＭＤとは異なるスタイリッシュなデザインのＨＭＤを実現することができる。
【００４１】
以上、本願明細書では、本発明の内容を表現するために、図面を参照しながら本発明の実施形態の説明を行った。ただし、本発明は、上記実施形態に限定されるものではなく、本願明細書に記載された事項に基づいて当業者が自明な変更形態や改良形態を包含するものである。
【符号の説明】
【００４２】
１０  ・・・表示光学系
１１  ・・・光源
１２  ・・・集光レンズ
１３ａ・・・透過型表示素子
１３ｂ・・・反射型表示素子
１４  ・・・偏光ビームスプリッター（ＰＢＳ）
１５  ・・・表示光学系パネル
２０  ・・・接眼光学系
２１  ・・・導光部材
２１ａ・・・入射面
２１ｂ・・・全反射面
２１ｃ・・・出射面
２３  ・・・接眼光学系仮想出射面
３０  ・・・支持具
３１  ・・・支持板
３２  ・・・第１収納室
３２ａ・・・出射窓
３３  ・・・第２収納室
４０  ・・・外光遮蔽部
４０ａ・・・庇状突起
４０ｂ・・・鍔状突起
４０ｃ・・・拡張外周部
４０ｄ・・・支持板延長遮蔽部
１００  ・・・映像表示装置
２００  ・・・ヘッドマウントディスプレイ
【図１】
2016057530.tif 000003
【図２】
2016057530.tif 000004
【図３】
2016057530.tif 000005
【図４】
2016057530.tif 000006
【図５】
2016057530.tif 000007
【図６】
2016057530.tif 000008
【図７】
2016057530.tif 000009
【図８】
2016057530.tif 000010
【図９】
2016057530.tif 000011
【図１０】
2016057530.tif 000012